(57)【特許請求の範囲】
【請求項１】
一方の出力端子を接地した出力周波数２Ｈｚから２００Ｈｚの交流電源と、当該交流電源の他方の非接地側出力端子に直列に接続した出力周波数２０kＨｚ〜２０００kＨｚのＬＣ並列回路とから形成され、当該ＬＣ並列回路の他端を出力端子として、前記交流電源の出力電圧ｖと外部電磁波により前記ＬＣ並列回路に誘導された誘導起電力ｖ’との重畳波ｖｏを出力する電源装置を用い、当該電源装置の前記出力端子にリード線を介して一方の側面に遠赤外線放射体層を有する金属又は金属粉を含むゴム若しくはプラスチックからなる導電体製電極板を接続し、当該導電体製電極板の遠赤外線放射体層上に直接に接触させるか若しくは間隙を置いて、人体の凝り、痛み、血行不良、出血止め、外傷、火傷、リューマチ、神経痛の何れかの治療に用いる医療用シート材を配置し、前記電源装置の出力端子から導電体製電極板へ前記重畳波ｖｏを出力することにより、導電体製電極板の電位を変動させて変動電場を発生させると共に、導電体製電極板を構成する素材原子の外殻電子軌道の変動及びこれに基づく陽子の振動により量子波を発生させ、医療用シート材を変動電場にさらすと共に医療用シート材に前記量子波を照射し、更に、遠赤外線放射体層からの遠赤外線を医療用シート材に照射して、当該医療用シート材の全体を活性化させるようにしたことを特徴とする医療用シート材の加工方法。
【請求項２】
前記導電体製電極板を絶縁材製架台により支持固定すると共に、導電体製電極板と大地間を抵抗Ｒ０により接続するようにした請求項１に記載の医療用シート材の加工方法。
【請求項３】
遠赤外線放射体層を、セラミックス焼結体又はセラミクスを混合したゴム若しくはプラスチックとした請求項１に記載の医療用シート材の加工方法。
【請求項４】
医療用シート材のシート状基材を、綿、麻、紙のような植物性繊維を主成分とするシート状基材とするようにした請求項１に記載の医療用シート材の加工方法。
【発明の詳細な説明】
【技術分野】
【０００１】
本発明は、腰痛や肩こり、止血用等の人体の患部に直接に貼付け又は巻付けたり、或いは、不眠の治療や快眠の確保等の為にベッドや布団等の敷布として用いる医療用シート材の加工方法の改良に関するものであり、シート材に接触させた電極板に電位変動や電界変動を発生させると共に、電極板の遠赤外線放射層から遠赤外線エネルギーを放射させ、シート材を形成する素材の原子及び分子の振動を促進させることによりその活性化を図り、これによって、シート材を貼付け又は巻付けした人の皮膚や筋肉等の人体組織の血行を促進したり、新陳代謝を旺盛にし、腰痛や肩こり、止血、不眠等を迅速且つ効率よく治癒できるようにした医療用シート材の加工方法に関するものである。
【背景技術】
【０００２】
従前から、腰痛や肩こりの治療や止血等のために人体の患部に直接貼付けたり、或いは、不眠の治療や安眠の確保のためにベッドや布団、毛布等に敷き詰めたりする医療用シート材は、数多く開発されて実用に供されている。
【０００３】
ところが、従前のこの種の医療用シート材、例えば腰痛や肩こりの治療用の湿布材や絆創膏等は、通常、平板状の柔軟性を有する基材の一側面に治療用薬剤を所望の厚さにコーティングし、これを適宜に乾燥することにより製造加工されている。
そのため、医療用シート材が有する腰痛や肩凝り等に対する効能は、治療用薬剤層が固有に保持する効能だけであり、上記薬剤層が固有に具備する以上の治療効果を発揮することは無い。
【０００４】
このことは、不眠治療や安眠確保用のシート材でも同様である。図３は、本願発明者が先に開発をした不眠治療や安眠確保用の寝具用シートＡの平面図であり、シート材Ｂの外表面に、遠赤外線放射性セラミックの粉体を含有するインクにより円形又は多角形等の多数の模様Ｃを印刷形成することにより製造、加工されている。
【０００５】
ところで、人間は、皮膚外表面にマッサージ等により適宜の刺激を受けると、大多数の者は眠気を催すことになる。これ等の事象については、医学的な多くの解析研究が行なわれているが、一般的には、皮膚外表面への刺激によって神経伝達系の活動や毛細血管の活動が活発になり、睡眠に関係する脳神経や脳細胞の働きに変化が生じて、眠気が誘発されると説明されている。
【０００６】
上記図３の寝具用シート材Ａは、上記のような事象を活用するものであり、皮膚外表面に遠赤外線エネルギーを吸収させて皮膚外表面を静的に刺激し、毛細血管の活性化による血流の増加や神経伝達系の活性化を図ることにより、マッサージ等の場合と同様の眠気を人に誘発させるものである。
【０００７】
しかし、図３の寝具用シート材Ａでは、模様Ｃを形成する赤外線放射性セラミックからの遠赤外線放射エネルギーのみが人に眠気を誘発する作用をし、模様Ｃ以外の部分，例えばシート材Ｂの部分は、単に遠赤外線エネルギーを放射する模様Ｃを保持するだけの機能しか果たさない。
そのため、皮膚外表面に対する刺激効果は、模様Ｃの部分からの遠赤外線放射エルギーのみに限定され、皮膚外表面の刺激効果が相対的に低くい。その結果、患部に十分な刺激を与えて血行の促進や筋肉組織の活性化等を高度に図ることが困難となり、凝りや痛みを短期間で治癒できないうえ、止血や切り傷の直りも悪いと云う難点がある。また、刺激効果を高めるために模様Ｃの面積を大きくすると、寝具用シート材Ａとしての美観が損なわれると云う問題がある（特開平９−３２７３６２号）。
【先行技術文献】
【特許文献】
【０００８】
【特許文献１】  特開平９−３２７３６２号
【特許文献２】  特開平８−１８７４２８号
【発明の概要】
【発明が解決しようとする課題】
【０００９】
本発明は、従前の腰痛や肩こりの治療や止血等のために人体の患部に直接に貼付け又は巻付けたり、或いは、不眠の治療や安眠の確保のためにベッドや布団等の外表面に敷いたりする医療用シート材における上述のような問題、即ち、イ、単に治療用薬剤層をシート材の一側面に積層固着しただけの湿布材や絆創膏等の医療用シート材では、治療用薬剤層が固有に有する効能しか人や動物の組織に及ぼすことが出来ず、薬剤層が固有に具備する以上の高い効能が得られないこと、及びロ、安眠用のベッドシーツや毛布カバー、布団シーツ等の医療用シート材においては、塗布した遠赤外線放射体の部分のみしか治療効能を発揮することができず、高い治療効果が得にくいこと等の問題を解決せんとするものであり、医療用シート材の全体、即ち、シート材に固着又は含侵させた薬剤成分のみならず、薬剤を保持するシート材を含めて医療用シート材の全体を変動電場内に配置して電場処理を施すと共に、これに遠赤外線を照射、吸収させることにより、医療用シート材の凝りや痛み、止血、安眠等の治療効果を大幅に向上させるようにした医療用シート材の加工方法を提供することを発明の主目的とするものである。
【課題を解決するための手段】
【００１０】
本願発明者は、先に、高周波電磁波による物質の改質方法を開発し、これを特開平８−１８７４２８号として公開している。当該物質の改質方法は、水に高周波電磁波を照射してこれを活性化させることにより、化学的反応性や有機物分解の促進、醸造発酵及び熟成時間の短縮、食品の腐敗防止、植物の成長促進等を可能とするものであり、現実に高い実用的効用を奏するものである。
【００１１】
本願発明者は、上記物質の改質方法の開発研究を通して、従前の医療用シート材、例えば湿布材や絆創膏、安眠用シート材等の薬剤部分と基材部分の全体を活性化処理して人体組織等の主要な構成材である水の活性化作用を高めることにより、人体の患部組織そのものの活性化や再生修復等の促進が可能なことを着想し、当該着想に基づいて人間や動物の各種患部、例えば凝りや痛みを有する部分や切り傷を負った部分、リュウマチや神経痛の部分等に対する医療用シート材の治療効果試験とその結果の分析・確認を数多く積み重ねて来た。
【００１２】
本願発明は、上記試験及び試験結果の分析等を通して創作されたものであり、請求項１の発明は、一方の出力端子を接地した出力周波数２Ｈｚから２００Ｈｚの交流電源と、当該交流電源の他方の非接地側出力端子に直列に接続した出力周波数２０kＨｚ〜２０００kＨｚのＬＣ並列回路とから形成され、当該ＬＣ並列回路の他端を出力端子として、前記交流電源の出力電圧ｖと外部電磁波により前記ＬＣ並列回路に誘導された誘導起電力ｖ’との重畳波ｖｏを出力する電源装置を用い、当該電源装置の前記出力端子にリード線を介して一方の側面に遠赤外線放射体層を有する金属又は金属粉を含むゴム若しくはプラスチックからなる導電体製電極板を接続し、当該導電体製電極板の遠赤外線放射体層上に直接に接触させるか若しくは間隙を置いて、人体の凝り、痛み、血行不良、出血止め、外傷、火傷、リューマチ、神経痛の何れかの治療に用いる医療用シート材を配置し、前記電源装置の出力端子から導電体製電極板へ前記重畳波ｖｏを出力することにより、導電体製電極板の電位を変動させて変動電場を発生させると共に、導電体製電極板を構成する素材原子の外殻電子軌道の変動及びこれに基づく陽子の振動により量子波を発生させ、医療用シート材を変動電場にさらすと共に医療用シート材に前記量子波を照射し、更に、遠赤外線放射体層からの遠赤外線を医療用シート材に照射して、当該医療用シート材の全体を活性化させるようにしたことを発明の基本構成とするものである。
【００１３】
請求項２の発明は、請求項１の発明において、前記導電体製電極板を絶縁材製架台により支持固定すると共に、導電体製電極板と大地間を抵抗Ｒ０により接続するようにしたものである。
【００１４】
請求項３の発明は、請求項１の発明において、遠赤外線放射体層を、セラミックス焼結体又はセラミクスを混合したゴム若しくはプラスチックとしたものである。
【００１５】
請求項４の発明は、請求項１の発明において、医療用シート材のシート状基材を、綿、麻、紙のような植物性繊維を主成分とするシート状基材とするようにしたものである。
【発明の効果】
【００１６】
本願発明では、一方の出力端子を接地した交流電源と、当該交流電源の他方の非接地側出力端子に直列に接続したＬＣ並列回路とからなり、当該ＬＣ並列回路の他端を出力端子として、前記交流電源の出力電圧ｖと外部電磁波により前記ＬＣ並列回路に誘導された誘導起電力ｖ’との重畳波ｖｏを出力する電源装置と、当該電源装置の前記出力端子にリード線を介して接続した遠赤外線放射体層を有する導電体製電極板を用い、前記導電体製電極板の遠赤外線放射体層の上部に直接又は間隙を置いて医療用シート材を配置して、電源装置の出力端子から導電体製電極板へ前記重畳波ｖｏを出力することにより導電体製電極板に変動電場を生じさせ、変動電場内に医療用シート材の全体をさらすと共に、遠赤外線放射体層からの遠赤外線を照射することにより、医療用シート材の全体を活性化させるようにしている。
【００１７】
即ち、電源装置のＬＣ並列回路には、外部電磁波により高周波の起電力ｖ’が誘導されると共に、この誘起起電力ｖ’が交流電源の交番電圧ｖに重畳される。そして、電源装置から、前記交番電圧ｖに誘起起電力ｖ’が重畳した重畳波の出力電圧ｖｏが導電体製電極板に印加されることにより、導電体製電極板の電位が微細に変動し、導電体製電極板の表面やその近傍の電場が変動することになる。
【００１８】
上記導電体製電極板の電位変動により電場が変動すると、導電体製電極板を構成する素材の原子の外殻電子軌道に変動が生じ、陽子の振動に基づく量子波が放射され、これにより、導電体製電極板に接触又はその近傍に位置する医療用シート材の分子や原子の振動が激しくなる。
また、導電体製電極板に設けた遠赤外線放射層体からの放射エネルギーが医療用シート材に照射されることのより、熱運動等によって医療用シートを構成する分子や原子の集団が激しく振動をくり返すことになる。このように、電場変動に相乗して遠赤外線放射エネルギーが加わることになり、医療用シート材は薬剤層を含めてシート状素材全体が高度に活性化され、患部組織の血行の改善や新陳代謝が高められて医療用シート材の治療効果が向上する。
【００１９】
更に、上記電場変動や遠赤外線放射エネルギーによって生ずる医療用シートを構成する分子や原子の振動数は、ＬＣ共振回路の共振周波数とによって大きく変化する。そのため、誘起起電力ｖ’の周波数を適宜に調整して、ＬＣ共振回路の共振周波数、即ち医療用シートを構成する分子や原子の振動数を患部組織の分子や原子の振動と共振させることにより、患部組織等の活性化が一層促進されてその治癒が早まることになる。
【００２０】
加えて、変動電場内で遠赤外線を放射させると、シート状素材の分子が共振して素材の分子構造の一部が変性し、素材自体の遠赤外線放射量や放射率が若干向上する。これにより、シート状素材の所謂遠赤外線効果やテラヘルツ効果かより高まることになる。
【００２１】
このように、本発明により加工した医療用シート材は、生物の患部組織の治療に高い効用を有するものであり、臨床テストによってその効用が確認されている。ただ、本発明により加工した医療用シート材が、生物組織の凝りや痛み、神経痛、リューマチ等に対して高い臨床上の治療効果を奏することについての理論的な解析は、未だ十分に行なわれておらず、従がって、電場変動処理に起因する医療用シート材の治療効果の向上の原因や作用、機構については、不明な点が多く存在する。しかし、本願発明にかかる医療用シート材は、現実に高い治療効果と治癒効果を奏するものである。
【００２２】
尚、本発明においては、単一の交番電圧を出力するのでなしに、低周波の基本となる交番電圧に高周波の交番電圧を重畳した重畳波を出力する構成としているため、低周波の変動電場と高周波の変動電場が相乗的に医療用シート材に作用することになり、より高い処理効果が得られることが確認されている。
【００２３】
また、医療用シート材の種類等に応じて、前記交流電源の基本周波数とＬＣ並列回路の共振周波数を適宜に選定することにより、医療用シート材に対するより効果的な活性化処理が行なえ、患部組織等の治癒を早めることが可能となること、及び電極板の材質によって、電場変動により得られる医療用シート材の治療効果に差異のあることが確認されている。
【図面の簡単な説明】
【００２４】  
【図１】  本発明に係る医療用シート材の加工方法の第１実施形態を示すブロック系統図である。
【図２】  本発明の第２実施形態を示す説明図である。
【図３】  従前の安眠用の医療用シート材（寝具用シート材Ａ）の概要説明図である。
【発明を実施するための形態】
【００２５】
以下、図面に基づいて本発明の各実施形態を説明する。
図１は、本発明に係る医療用シート材の加工方法の第１実施形態を示すブロック系統図であり、打撲等による痛みや腫れを有する患部組織や凝りの在る患部組織、切り傷を負った患部組織等の治療の他、安眠の確保や不眠の治療、リューマチ、神経痛、前立腺肥大、糖尿病等の治療に使用する医療用シート材の加工方法を示すものである。
【００２６】
図1を参照して、本発明に係る医療用シート材の加工方法は、発信器に相当する電源装置１と、リード線７を介してこれに接続した遠赤外線放射体層４bを備えた導電体製電極板４と、導電体製電極板４を支持する絶縁材製架台５等から成る医療用シート材の処理装置を用いて実施される。
【００２７】
また、本発明で加工処理される医療用シート材８（以下、被処理物８と呼ぶ）には、基材の一側面に薬剤層を塗布固着した湿布用シートや傷テープ、包帯、絆創膏、遠赤外線放射体を含有又は固着した安眠用シート等のあらゆる医療用のシート材が含まれている。
尚、医療用シート材８（被処理物８）を構成するシート状基材の材質は、綿や麻、紙等の植物性繊維を主成分とするものであっても、或いは、合成樹脂製繊維を主体とするものや不織布であっても良い。
【００２８】
前記電源装置１は、交流電源2と、これに直列に接続したＬＣ並列回路１０とから形成されており、交流電源２の一方は接地した出力端子２ｂへ接続されている。また、交流電源２の非接地側の出力端子２ａは、前記ＬＣ並列回路１０の一方の接続点９ａへ直列状に接続されており、更に、ＬＣ並列回路１０の他方の接続点９ｂは、電源装置１の出力端子３ｂへ接続されている。尚、Ｒ及びＲｏは保護抵抗である。
【００２９】
上記ＬＣ並列回路１０は、容量Ｃの可変により周波数２０ＫＨｚ〜２０００ＫＨｚの外部電磁波に共振し、当該共振周波数の交番電圧ｖ’を誘起する。そして、周波数２Ｈｚ〜２００Ｈｚの交流電源２の交番電圧ｖと前記共振周波数の交番電圧ｖ’との重畳電圧ｖｏが、端子２ｂ、３ｂ間に出力される。
【００３０】
前記導電体製電極板４は、金属電極板４ａ（導電性電極板４ａ）の上面側に遠赤外線放射体層４ｂを形成したものである。また、この金属電極板４ａは、金属粉を含むゴム若しくはプラスチック製の導電体性電極板とすることも可能である。
【００３１】
尚、図1において、１ａはケース、２ａは非接地側の出力端子、２ｂは接地側の出力端子、３ｂは電源の出力側端子、４は導電体製電極板、４ａは導電性電極板、４ｂは遠赤外線放射体層、４ｃは端子、５は絶縁材製支持架台、６は接地点、７リード線、８は被処理物（医療用シート材）、ｖは交流電源の電圧波形、ｖ’はＬＣ並列回路の誘導起電力、ｉはｖとｖ’の重畳電圧Ｖｏによる電流、Ｃ’は漂遊容量、Ｒ及びＲｏは保護抵抗である。
【００３２】
本発明による医療用シート材の加工に際しては、先ず、在来の製法により製造した医療用シート材、例えば、基材の一側面に薬剤層を塗布固着した湿布用シートや傷テープ、包帯、絆創膏、遠赤外線放射体を含有又は固着した安眠用シート等を導電体製電極板４の上方に設置する。
次に、正弦波交流電源２を作動させると共にＬＣ並列回路１０を所望周波数の空間電磁波に同調させ、電源装置１の端子３ｂ，２ｂ間に交流電源２の電圧ｖとＬＣ並列回路１０の誘導起電力ｖ’との重畳電圧Ｖｏを出力させる。これにより、リード線７と導電体製電極板４と漂遊容量Ｃ’とを通して重畳電圧Ｖｏによる交番電流ｉが流通する。
【００３３】
導電体製電極板４に重畳電圧ｖｏによる交番電流ｉが流通することにより、導電体製電極板４の電位が変動し、これにより電場も変動する。また、遠赤外線放射体４ｂからの放射エネルギーが被処理物（医療用シート材）８へ放射される。
即ち、導電体製電極板４の電場が変動することにより、導電性電極板４ａに陽子（プラスイオン）が起生し、これによって量子波が放出される。また、遠赤外線放射体４ｂからは遠赤外線が放射される。そして、放出された量子波及び遠赤外線エネルギーを吸収することにより、前記００２３欄及び００２４欄に記載したように、被処理物（医療用シート材）８がより高度に活性化され、これによって、患部組織の治癒効能が向上する。
【００３４】
尚、上記導電体製電極板４の電位変動や電場変動及び遠赤外線放射エネルギーの吸収により、被処理物（医療用シート材）８の患部治癒効能が向上することに付いての作用機構は、前述の通り現時点においても理論的に完全に解明されているとは言えない実情にある。しかし、これ等の治癒効果は、何れも試験や実験によって確認されているものである。
【００３５】
また、前記電源装置（発信器）１の交流電源２の周波数は、２Ｈｚから２００Ｈｚ程度が最適であり、また、ＬＣ並列共振回路１０の共振周波数は２０ＫＨｚ〜２０００ＫＨｚ程度が最適であることが確認されている。
【００３６】
【実施例１】
電源装置（発信器）１として、交流電源２の周波数が２Ｈｚ〜２００Ｈｚ・ＬＣ並列共振回路の共振周波数２０ＫＨｚ〜２０００ＫＨｚ，最大出力電圧ｖｏを２５〜２５０ボルト、最大発信出力３〜１０ワットのものを用いると共に、導電性電極板４ａを金属粉を混練りしたゴム板（１５０ｍｍ×３００ｍｍ×１０ｍｍ（厚さ）、遠赤外線放射体層４ｂを遠赤外線放射セラミック粉を含有するゴム製(厚み３０ｍｍ)とし、市販のシップ材（１００ｍｍ×２００ｍｍ・厚みｍｍ）及び絆創膏並びに安眠用シートを被処理物（医療用シート材８）として、遠赤外線放射体層４ｂの上部に載せ、夫々３０〜１８０分間の活性化処理を行った。
【００３７】
そして、当該処理済のシップ材や絆創膏を人間の肩部へ直接貼り付けし、一日に２４時間の治療を３日間連続して行い、市販のシップ材や絆創膏を肩使用した場合と本発明により処理した シップ材や絆創膏を使用した場合との肩こりの解消状態の比較テストを行なった。尚、電源装置（発信器）１の平均出力は、５ワットであった。
【００３８】
上記試験の被試験対象者は５人であり、先ず、各被試験対象者の夫々に同一の負荷条件を付与して肩こりを発生させ、一日に１回・２４時間・３日間の市販の薬剤付きシップ材の貼り付けによる治療を行い、肩凝りの解消状況を調査した。次に、１０日間の間隔を置いて、同じ被験対象者の夫々に前回と同一の負荷条件を付与して肩こりを発生させ、一日に１回・２４時間・３日間の本発明により処理した市販の薬剤付きシップ材の貼り付けによる治療を行い、同じ内容の肩凝りの解消状況調査をした。
【００３９】
調査の結果に依れば、試験対象５人の内の全員が、本願発明により加工処理した薬剤付きシップ材による治療が最も肩こりの治癒効果の高いことを認めており、本願発明の優れた効用が証明されている。
【００４０】
図２は、本発明の第２実施形態を示すものである。図1における導電体製電極板４と接地点６間を抵抗Ｒｏを介して連結し、交流電源２の周波数が低くい場合（即ち、電源装置１からの出力ｖｏ（重畳交番電圧）の周波数が低い時）の電流の流通性を高めるようにした点のみが、第１実施形態の場合と異なっており、その他の処理装置構成や医療用シート材の処理方法（医療用シート材の処理方法）は、第１実施形態の場合と全く同一である。
【００４１】
本発明では、電源装置（発信器）1を、ＬＣ並列回路の容量Ｃの調整により、電源装置（発信器）1から導電体製電極板４への重畳出力電圧ｖｏの波形を変える構成としている。
しかし、図示していないが、電源装置（発信器）1としては、伝送波（基本波）と高周波の重畳波を発信する構成の発信機であれば、如何なる構成のものであっても良く、また、伝送波（基本波）を高周波（搬送波）で振幅変調した被変調波を出力する構成の高周波発信器とすることも可能である。
尚、電源装置（発信器）1そのものは公知であるため、ここではその詳細な説明は省略する。
【００４２】
本発明は上述の如く、導電体製電極４に電位変動や電場変動を発生させることにより、医療用シート材そのものの活性度を高め、これによって医療用シート材自体が固有に保持する薬剤の効用以上の高い治癒効能を得るようにしたものである。その結果、あらゆる生物、特に人間の身体の凝りや切り傷、痛み、リューマチ等の患部治療をより効率的に行なえ、迅速な治癒、回復が達成できると云う優れた実用的効用を奏するものである。
【産業上の利用可能性】
【００４３】
本発明は、人間や動物の患部治療のみならず各種の生物を対象とする医療用シート材の加工に適用できるものであり、農畜産業や漁業等の分野においても利用可能なものである。
【符号の説明】
【００４４】
１    電源装置（発信器）
１ａ  ケース
２    交流電源
２ａ  交流電源非接地側出力端子
２ｂ  交流電源接地側出力端子（電源装置の出力側端子）
３ｂ  電源装置の出力側端子
４    導電体製電極板
４ａ  導電性電極板
４ｂ  遠赤外線放射体層  
４ｃ  端子
５    絶縁材製指示架台
６    アース点
７    リード線
８    医療用シート材（被処理物）
９ａ  接続点
９ｂ  接続点
１０  ＬＣ並列回路
ｉ    電流
ｖ    交流電源電圧
ｖ’  誘導起電力
ｖｏ  出力電圧（ｖ及びｖ’の重畳波）
Ｃ    静電容量
Ｌ    コイル
Ｃ’  漂遊容量
Ｒ    保護抵抗
Ｒｏ  保護抵抗
【要約】
本発明は、生物、例えば人間の筋肉の凝りや痛み、切り傷等の治療に使用する医療用用シート材の治療効果をより高めることを可能にする。
本発明は、一方の出力端子を接地した交流電源と、当該交流電源の他方の非接地側出力端子に直列に接続したＬＣ並列回路とからなり、当該ＬＣ並列回路の他端を出力端子として、前記交流電源の出力電圧ｖと外部電磁波により前記ＬＣ並列回路に誘導された誘導起電力ｖ’との重畳波ｖｏを出力する電源装置と、当該電源装置の前記出力端子にリード線を介して接続した遠赤外線放射層を有する導電体製電極板とを用い、前記導電体製電極板の遠赤外線放射体層の上部に直接又は間隙を置いて医療用シート材を配置して、電源装置の出力端子から導電体製電極板へ前記重畳波ｖｏを出力することにより導電体製電極板に変動電場を生じさせ、医療用シート材の全体を変動電場内に位置させて医療用シート材全体を活性化させる。【図１】
0005657841.tif 000002
【図２】
0005657841.tif 000003
【図３】
0005657841.tif 000004